(57)【要約】【課題】熱交換器の熱交換効率が高く省エネ性能が向上した浴室浴室換気空調装置を提供できることを目的とする。【解決手段】換気口開閉手段を上下に分割し、換気口開閉手段の上側の換気口開閉手段上４８および換気口開閉手段の下側の換気口開閉手段下４９とを互いに平行に配列したという構成にしたことにより、換気口開閉手段を１部品から２分割することにより同一開口面積で換気口開閉手段の回転半径５４を１／２にでき、かつ、換気口開閉手段を２個に分けることにより換気口開閉手段の単品の質量を１／２にすることとなるので、熱交換器の熱交換効率が高く省エネ性能を向上できる換気装置を得られる。【選択図】図３
2012193936.tif 000002
【特許請求の範囲】
【請求項１】
浴室の空気を循環送風機により循環して空調するとともに、浴室以外の他室の空気を換気用送風機により換気する浴室換気空調装置において、本体部分は浴室の空気を吸込む循環吸込口と浴室内の空気を循環させる前記循環送風機と浴室に空気を吹出す循環吹出口を備えた循環風路と送風機部分に連通する隣接した第一換気口および第二換気口と、前記第一換気口と前記第二換気口とを連通する換気風路を備え、前記循環風路と前記換気風路を本体隔壁で仕切った構成とし、冷媒を圧縮する圧縮機と、前記循環吸込口と前記循環送風機との間に配設され循環風と冷媒を熱交換させる第一熱交換器と、前記冷媒を膨張させる膨張機構と、前記換気風路中に配設され換気風と冷媒を熱交換させる第二熱交換器とを備え、前記圧縮機、前記第一熱交換器、前記膨張機構、前記第二熱交換器の順に冷媒が循環するように配管した冷媒回路を形成してなり、送風機部分は吸込み側と吹出し側を送風機隔壁で仕切り、吸込み側には前記浴室以外の他室に開口した少なくとも１個の排気口に連通する他室吸込口と、前記本体部分と連通する第一送風口を設け、吹き出し側には前記本体部分と連通する第二送風口と、空気を送風するための換気送風機と、屋外に吹き出す換気吹出口を備え、第一換気口を開閉できる第一換気口開閉手段および第二換気口を開閉できる第二換気口開閉手段および第一送風口を開閉できる第一送風口開閉手段および第二送風口を開閉できる第二送風口開閉手段を設けるとともに、送風機隔壁に２４時間換気口を設け２４時間換気口を開閉できる２４時間換気口開閉手段を設け、隣接した第一換気口開閉手段と第二換気口開閉手段を一体化した換気口開閉手段とし、第一送風口の対面に第三送風口を設け、第二送風口の対面に第四送風口を設け、換気風路中の第二熱交換器と第二換気口との間の浴室に面した部分に浴室換気口を設け、循環吸込口を開閉できる循環吸込口開閉手段を設けるとともに、本体隔壁に再熱送風口を設け、浴室換気口を開閉できる浴室換気口開閉手段と、再熱送風口を開閉できる再熱送風口開閉手段とを設け、前記換気口開閉手段を上下に分割し、前記換気口開閉手段の上側の換気口開閉手段上および前記換気口開閉手段の下側の換気口開閉手段下とを互いに平行に配列したことを特徴とする浴室換気空調装置。
【請求項２】
換気口開閉手段上および換気口開閉手段下をそれぞれステッピングモーターで制御することを特徴とする請求項１に記載の浴室換気空調装置。
【請求項３】
換気口開閉手段上および換気口開閉手段下を同一形状で同一材料にすることを特徴とする請求項１または２に記載の浴室換気空調装置。
【請求項４】
換気口開閉手段に設けている枠に、独立した配線溝と配線固定リブを設けることを特徴とする請求項１または２に記載の浴室換気空調装置。
【請求項５】
換気口開閉手段と本体との固定は換気口開閉手段の枠の下部の溝と本体からのリブで位置決めし、上端をネジ止等で固定することを特徴とする請求項１または２に記載の浴室換気空調装置。
【発明の詳細な説明】
【技術分野】
【０００１】
本発明は、ヒートポンプ等を利用して浴室などの居住空間の換気空調を行う換気空調装置に関するものである。
【背景技術】
【０００２】
従来よりヒートポンプ等を利用した浴室など居住空間の換気空調装置は、圧縮機、凝縮器および蒸発器などの熱交換器、減圧器等を含む冷凍サイクル部分と空調した空気を浴室などの居住空間に送風する循環ファンおよび循環ファンモータ、熱交換した熱を屋外へ排気するための換気ファンおよび換気ファンモータなどの送風機部分を、本体内に内蔵している（例えば、特許文献１参照）。
【先行技術文献】
【特許文献】
【０００３】
【特許文献１】特開平５−２３１６７５号公報
【発明の概要】
【発明が解決しようとする課題】
【０００４】
このような従来の浴室換気空調装置においては、換気口開閉手段を通過した風が風速分布均一で熱交換器に当たらないので、熱交換効率が悪く消費電力が高い、という課題を有していた。
【０００５】
そこで本発明は、上記従来の課題を解決するものであり、熱交換器の熱交換効率が高く省エネ性能が向上した浴室換気空調装置を提供することを目的とする。
【課題を解決するための手段】
【０００６】
そして、この目的を達成するために、本発明の浴室換気空調装置は、上記目的を達成するために本発明が講じた第１の解決手段は、浴室の空気を循環送風機により循環して空調するとともに、浴室以外の他室の空気を換気用送風機により換気する浴室換気空調装置において、本体部分は浴室の空気を吸込む循環吸込口と浴室内の空気を循環させる前記循環送風機と浴室に空気を吹出す循環吹出口を備えた循環風路と送風機部分に連通する隣接した第一換気口および第二換気口と、前記第一換気口と前記第二換気口とを連通する換気風路を備え、前記循環風路と前記換気風路を本体隔壁で仕切った構成とし、冷媒を圧縮する圧縮機と、前記循環吸込口と前記循環送風機との間に配設され循環風と冷媒を熱交換させる第一熱交換器と、前記冷媒を膨張させる膨張機構と、前記換気風路中に配設され換気風と冷媒を熱交換させる第二熱交換器とを備え、前記圧縮機、前記第一熱交換器、前記膨張機構、前記第二熱交換器の順に冷媒が循環するように配管した冷媒回路を形成してなり、送風機部分は吸込み側と吹出し側を送風機隔壁で仕切り、吸込み側には前記浴室以外の他室に開口した少なくとも１個の排気口に連通する他室吸込口と、前記本体部分と連通する第一送風口を設け、吹き出し側には前記本体部分と連通する第二送風口と、空気を送風するための換気送風機と、屋外に吹き出す換気吹出口を備え、第一換気口を開閉できる第一換気口開閉手段および第二換気口を開閉できる第二換気口開閉手段および第一送風口を開閉できる第一送風口開閉手段および第二送風口を開閉できる第二送風口開閉手段を設けるとともに、送風機隔壁に２４時間換気口を設け２４時間換気口を開閉できる２４時間換気口開閉手段を設け、隣接した第一換気口開閉手段と第二換気口開閉手段を一体化した換気口開閉手段とし、第一送風口の対面に第三送風口を設け、第二送風口の対面に第四送風口を設け、換気風路中の第二熱交換器と第二換気口との間の浴室に面した部分に浴室換気口を設け、循環吸込口を開閉できる循環吸込口開閉手段を設けるとともに、本体隔壁に再熱送風口を設け、浴室換気口を開閉できる浴室換気口開閉手段と、再熱送風口を開閉できる再熱送風口開閉手段とを設け、前記、第一換気口開閉手段および第二換気口開閉手段を一軸で連結し且つ上下に分割した換気口開閉手段ユニットの上側の換気口開閉手段上および前記換気口開閉手段の下側の換気口開閉手段下とを互いに平行に配列した、としたものであり、これにより所期の目的を達成するものである。
【発明の効果】
【０００７】
本発明によれば、本体部分は浴室の空気を吸込む循環吸込口と浴室内の空気を循環させる前記循環送風機と浴室に空気を吹出す循環吹出口を備えた循環風路と送風機部分に連通する隣接した第一換気口および第二換気口と、前記第一換気口と前記第二換気口とを連通する換気風路を備え、前記循環風路と前記換気風路を本体隔壁で仕切った構成とし、冷媒を圧縮する圧縮機と、前記循環吸込口と前記循環送風機との間に配設され循環風と冷媒を熱交換させる第一熱交換器と、前記冷媒を膨張させる膨張機構と、前記換気風路中に配設され換気風と冷媒を熱交換させる第二熱交換器とを備え、前記圧縮機、前記第一熱交換器、前記膨張機構、前記第二熱交換器の順に冷媒が循環するように配管した冷媒回路を形成してなり、送風機部分は吸込み側と吹出し側を送風機隔壁で仕切り、吸込み側には前記浴室以外の他室に開口した少なくとも１個の排気口に連通する他室吸込口と、前記本体部分と連通する第一送風口を設け、吹き出し側には前記本体部分と連通する第二送風口と、空気を送風するための換気送風機と、屋外に吹き出す換気吹出口を備え、第一換気口を開閉できる第一換気口開閉手段および第二換気口を開閉できる第二換気口開閉手段および第一送風口を開閉できる第一送風口開閉手段および第二送風口を開閉できる第二送風口開閉手段を設けるとともに、送風機隔壁に２４時間換気口を設け２４時間換気口を開閉できる２４時間換気口開閉手段を設け、隣接した第一換気口開閉手段と第二換気口開閉手段を一体化した換気口開閉手段とし、第一送風口の対面に第三送風口を設け、第二送風口の対面に第四送風口を設け、換気風路中の第二熱交換器と第二換気口との間の浴室に面した部分に浴室換気口を設け、循環吸込口を開閉できる循環吸込口開閉手段を設けるとともに、本体隔壁に再熱送風口を設け、浴室換気口を開閉できる浴室換気口開閉手段と、再熱送風口を開閉できる再熱送風口開閉手段とを設け前記、第一換気口開閉手段および第二換気口開閉手段を一軸で連結し且つ上下に分割した換気口開閉手段ユニットを上下に分割し、前記換気口開閉手段の上側の換気口開閉手段上および前記換気口開閉手段の下側の換気口開閉手段下とを互いに平行に配列したという構成にしたことにより、換気口開閉手段を１部品から２分割することにより同一開口面積で換気口開閉手段の回転半径を１／２にでき、かつ、換気口開閉手段を２個に分けることにより換気口開閉手段単品の質量を１／２にするので、熱交換器の熱交換効率が高く省エネ性能を向上できる、という効果を得ることができる。
【図面の簡単な説明】
【０００８】
【図１】本発明の実施の形態１における浴室換気空調装置の居住空間への設置を示す見取り図
【図２】同浴室換気空調装置の概略構成図
【図３】同浴室換気空調装置の換気口開閉手段上と換気口開閉手段下を側面より示した図
【図４】同浴室換気空調装置の換気口開閉手段上と換気口開閉段下を示した図
【図５】本発明の実施の形態２、３における浴室換気空調装置の換気口開閉手段の部品構成図
【図６】本発明の実施の形態４における同浴室換気空調装置の換気口開閉手段ユニットの配線溝を示す図
【図７】同浴室換気空調装置の換気口開閉手段ユニットの配線処理を示す斜視図
【図８】同浴室換気空調装置の換気口開閉手段ユニットの風路とシールを示す斜視図
【図９】本発明の実施の形態５換気口開閉手段ユニットの取付けを示す斜視図
【発明を実施するための形態】
【０００９】
本発明の請求項１記載の浴室換気空調装置は、浴室の空気を循環送風機により循環して空調するとともに、浴室以外の他室の空気を換気用送風機により換気する浴室換気空調装置において、本体部分は浴室の空気を吸込む循環吸込口と浴室内の空気を循環させる前記循環送風機と浴室に空気を吹出す循環吹出口を備えた循環風路と送風機部分に連通する隣接した第一換気口および第二換気口と、前記第一換気口と前記第二換気口とを連通する換気風路を備え、前記循環風路と前記換気風路を本体隔壁で仕切った構成とし、冷媒を圧縮する圧縮機と、前記循環吸込口と前記循環送風機との間に配設され循環風と冷媒を熱交換させる第一熱交換器と、前記冷媒を膨張させる膨張機構と、前記換気風路中に配設され換気風と冷媒を熱交換させる第二熱交換器とを備え、前記圧縮機、前記第一熱交換器、前記膨張機構、前記第二熱交換器の順に冷媒が循環するように配管した冷媒回路を形成してなり、送風機部分は吸込み側と吹出し側を送風機隔壁で仕切り、吸込み側には前記浴室以外の他室に開口した少なくとも１個の排気口に連通する他室吸込口と、前記本体部分と連通する第一送風口を設け、吹き出し側には前記本体部分と連通する第二送風口と、空気を送風するための換気送風機と、屋外に吹き出す換気吹出口を備え、第一換気口を開閉できる第一換気口開閉手段および第二換気口を開閉できる第二換気口開閉手段および第一送風口を開閉できる第一送風口開閉手段および第二送風口を開閉できる第二送風口開閉手段を設けるとともに、送風機隔壁に２４時間換気口を設け２４時間換気口を開閉できる２４時間換気口開閉手段を設け、隣接した第一換気口開閉手段と第二換気口開閉手段を一体化した換気口開閉手段とし、第一送風口の対面に第三送風口を設け、第二送風口の対面に第四送風口を設け、換気風路中の第二熱交換器と第二換気口との間の浴室に面した部分に浴室換気口を設け、循環吸込口を開閉できる循環吸込口開閉手段を設けるとともに、本体隔壁に再熱送風口を設け、浴室換気口を開閉できる浴室換気口開閉手段と、再熱送風口を開閉できる再熱送風口開閉手段とを設け、前記、第一換気口開閉手段および第二換気口開閉手段を一軸で連結し且つ上下に分割した換気口開閉手段ユニットを上下に分割し、前記換気口開閉手段の上側の換気口開閉手段上および前記換気口開閉手段の下側の換気口開閉手段下とを互いに平行に配列した、という構成を有する。これにより、熱交換器の熱交換効率が高く省エネ性能を向上できる、という効果を奏する。
【００１０】
また、換気口開閉手段上および換気口開閉手段下をそれぞれステッピングモーターで制御する、という構成にしてもよい。これにより、例えばＤＣ１２ＶもしくはＤＣ２４Ｖのステッピングモーターを２個使用して、換気口開閉手段上および換気口開閉手段下の開閉を制御するとなるので、小型モーターの使用により駆動の機構を小さくできるとともに普及タイプのステッピングモーター使用によりコストを抑えることができる、という効果を奏する。
【００１１】
また、換気口開閉手段上および換気口開閉手段下を同一形状で同一材料にする、という構成にしてもよい。これにより、同じ形状にすることにより、同一トルクで上下の換気口開閉手段を駆動できる、という効果を奏する。
【００１２】
また、換気口開閉手段に設けている枠に、独立した配線溝と配線固定リブを設けるという構成にしてもよい。これにより、配線線貫通部と配線線引き回し部を風路と分け独立でき、配線固定リブで配線処理が固定することができ、また、配線部と風路部分がそれぞれ独立されることにより換気口開閉枠のみのパッキンで本体とシールができて、換気口開閉枠上、下、換気口開閉枠、ステッピングモーター、配線を１つの換気口開閉手段ユニットとして提供できることとなるので、配線貫通部からの風漏れ防止と配線の挟み込みの防止ができるとともに、パッキン貼付け作業が容易で継ぎ目も少なく本体とのシール性が向上でき、かつ、ユニット化によりユニット供給が可能となり部品交換の簡易化や他機種への供用化が図ることができる、という効果を奏する。
【００１３】
また、換気口開閉手段と本体との固定は換気口開閉手段の枠の下部の溝と本体からのリブで位置決めし、上端をネジ止等で固定する、という構成にしてもよい。これにより、換気口開閉手段ユニットと本体の固定は換気口開閉手段枠の下部の溝と本体からのリブで位置決めし、上端をネジ止等で固定することにより、本体の深い部分の固定にネジ等を使用しないことができることとなるので、製品組立て時のネジ本数削減による作業工数削減でき、また本体設置状態でのサービスパーツ交換においては、通常本体内は光が入らず見えにくい場所であるが、換気口開閉手段ユニットを本体内側の壁面にスライドして挿入することで換気口開閉手段枠の下部の溝と本体からのリブの位置決めが容易にでき上端をネジ止等で固定するのみで交換作業ができる、という効果を奏する。
【００１４】
以下、本発明の実施の形態について図面を参照しながら説明する。
【００１５】
（実施の形態１）
本実施の形態１を、図１〜図４を参照に説明する。
【００１６】
図１は本発明の実施の形態１における浴室換気空調装置が設置されている居住空間の見取り図である。図１において、屋内の居住空間１は、リビング２、浴室３、脱衣室４あるいはトイレ５などに区画されており、浴室３の天井裏には、浴室換気空調装置の本体部分６と送風機部分７が設置されている。この本体部分６内部には、循環送風機８が配設されており、循環送風機８を運転すると本体部分６の浴室３側に開口した吸込口から本体部分６内に吸込まれ、循環送風機８を通って本体部分６の浴室３側に開口した吹出口から浴室３内へ吹き出される。
【００１７】
また、送風機部分７内部には換気送風機９が配設されており、脱衣室４に開口した第一排気口１０と送風機部分７を連通する第一排気ダクト１１およびトイレ５に開口した第二排気口１２と送風機部分７を連通する第二排気ダクト１３が換気送風機９の吸込側に接続され、屋外と送風機部分７を連通する第三排気ダクト１４は換気送風機９の吹出側に接続されている。換気送風機９を運転すると、第一排気口１０および第二排気口１２から第一排気ダクト１１および第二排気ダクト１３を通じて脱衣室４およびトイレ５の空気が換気送風機９に吸い込まれ、第三排気ダクト１４を通じて屋外に排出される。
【００１８】
そして換気送風機９を連続運転すると居住空間１内が負圧になるため、リビング２の屋外に面した壁に開口した給気口１５から新鮮な外気が給気されて居住空間１が換気されることになる。この換気運転は建物の気密性が高い場合は連続して行う（２４時間換気をする）必要があるため、換気送風機９は所定の換気量、例えば一時間で居住空間１の約半分の容積に相当する換気量を確保するように連続運転を行う。
【００１９】
また、リビング２には部屋の温度をコントロールするための空調機１６が設置されており、夏場は冷房運転、冬場は暖房運転を行って室温を適正に保持している。しかし前述したように年間を通じて連続した換気運転を行っていると、夏場はリビング２において空調機１６で冷房された低温の空気、冬場は空調機１６で暖房された高温の空気が脱衣室４のドア１７およびトイレ５のドア１８のガラリやアンダーカット部分を通じて第一排気口１０および第二排気口１２に吸い込まれ、浴室換気空調装置の送風機部分７を介して屋外に排出されることになる。
【００２０】
図２は、浴室３の天井裏に設置された浴室換気空調装置の基本となる風路構成図および冷媒回路図である。
【００２１】
本体部分６は浴室内の空気を循環させる循環送風機８と、浴室３に開口した循環吸込口１９および循環吹出口２０と、浴室換気口２１と循環吸込口１９を開閉する循環吸込口開閉手段２２と、浴室換気口２１を開閉する浴室換気口開閉手段２３と、送風機部分７と連接する第一換気口２４と第二換気口２５と、第一換気口２４を開閉する第一換気口開閉手段２６と、第二換気口２５を開閉する第二換気口開閉手段２７と、第一換気口２４と第二換気口２５との間に形成される換気風路２８と、換気風路２８と循環送風機８とを連通させる再熱送風口２９と、再熱送風口２９を開閉する再熱送風口開閉手段３０と、冷媒を圧縮する圧縮機３１と、循環吸込口１９と循環送風機８の間に配設され循環風と冷媒を熱交換させる第一熱交換器３２と、冷媒を膨張させる膨張機構３３と、換気風路２８中に配設され換気風と冷媒を熱交換させる第二熱交換器３４とを備え、圧縮機３１、第一熱交換器３２、膨張機構３３、第二熱交換器３４の順に冷媒が循環するように配管した冷媒回路を形成してなり、送風機部分７は、浴室３および他室、例えば脱衣室４やトイレ５から空気を吸い込む換気送風機９と、脱衣室４から吸込んだ空気を搬送する第一排気ダクト１１を接続する他室吸込口３５と、トイレ５から吸込んだ空気を搬送する第二排気ダクト１３を接続する他室吸込口３６と、排気する空気を屋外へ搬送する第三排気ダクト１４を接続する換気吹出口３７と、本体部分６と連接する第一送風口３８と第二送風口３９と送風機部分７を間で仕切る送風機隔壁４０と、送風機隔壁に開口した２４時間換気口４１と、２４時間換気口を開閉する２４時間換気口開閉手段４２と、通常は蓋で塞いでいる第三送風口４３および第四送風口４４と、第三送風口を塞ぐ蓋４５と、第四送風口を塞ぐ蓋４６とを形成してなり、本体部分６と送風機部分７とを別体に構成し、連接して設置する構成となっている。
【００２２】
上記構成において、循環吸込口開閉手段２２を開、浴室換気口開閉手段２３を閉、第一換気口開閉手段２６を開、第二換気口開閉手段２７を開、再熱送風口開閉手段３０を閉、２４時間換気口開閉手段４２を閉とすることにより、換気送風機９により脱衣室４やトイレ５から吸込んだ空気を第一換気口２４より本体部分６内の換気風路２８へ導入し、第二熱交換器３４を通過させることにより熱交換をおこなった後、第二換気口２５より再度送風機部分７へ導入して換気吹出口３７より屋外へ排気することができ、冷凍サイクルによって第二熱交換器３４で回収した脱衣室４およびトイレ５の熱を第一熱交換器３２へ運び浴室３内へ放熱することにより浴室３内を暖房することができる。
【００２３】
また、第一換気口開閉手段２６を閉、第二換気口開閉手段２７を閉、２４時間換気口開閉手段４２を開とすることにより、換気風から熱の回収をする必要がない暖房運転以外の運転をおこなう場合、換気風を本体部分６内に導入することなく送風機部分７から直接屋外に排気でき、熱交換器通過時の圧損を受けずにすみ換気時の効率を向上することができる。
【００２４】
また、第三送風口４３および第四送風口４４を塞いでいた蓋４５および蓋４６を取り外して第一送風口３８および第二送風口３９を蓋４５および蓋４６で塞ぎ、送風機部分７を１８０度回転させることにより第三送風口４３を第一換気口２４に、第四送風口４４を第二換気口２５に連接させて設置することにより、左右どちらからでも吸込みおよび排気することができ、排気ダクトの引回し方向の自由度を高めることができる。
【００２５】
また、浴室換気口開閉手段２３を開、第一換気口開閉手段２６を開、第二換気口開閉手段２７を開、２４時間換気口開閉手段４２を開とすることにより、浴室３内の空気を屋外に排気することができる。
【００２６】
また、循環吸込口開閉手段２２を閉、浴室換気口開閉手段２３を開、第一換気口開閉手段２６を閉、第二換気口開閉手段２７を閉、再熱送風口開閉手段３０を開とすることにより、浴室３の空気を浴室換気口２１から本体部分６に吸込み、第二熱交換器３４、再熱送風口２９、第一熱交換器３２、循環送風機８、循環吹出口２０の順に送風することにより、浴室３内を再熱除湿することができる。前記、第一換気口開閉手段および第二換気口開閉手段を一軸で連結し且つ上下に分割した換気口開閉手段ユニットを上下に分割し、前記換気口開閉手段の上側の換気口開閉手段上および前記換気口開閉手段の下側の換気口開閉手段下を互いに平行に配列した、この第一換気口開閉手段２６および第二換気口開閉手段２７を一軸で連結し且つ上下に分割した換気口開閉手段ユニット４７を上下に分割し、換気口開閉手段ユニット４７の上側の換気口開閉手段上４８および前記換気口開閉手段の下側の換気口開閉手段下４９とを互いに平行５０に配列した構成で、第二熱交換器３４の熱交換効率を上げるためには、換気口開閉手段ユニット４７を通過した風の風速分布５１を均一に第二熱交換器３４に当てなければならない、そのためには換気口開閉手段ユニット４７の開口面積を第二熱交換器３４の縦断面積５２に対しできる限り同一面積で且つ平行５０であることが有効である、同一風量であっても第一換気口開閉手段２６および第二換気口開閉手段２７が狭い場合は第二熱交換器３４に風を均一な風速分布であてることができず、熱交換効率を上げることができないので製品の省エネ性能を著しく下げてしまう。しかしながら単に第一換気口開閉手段２６および第二換気口開閉手段２７の換気口面積を大きくすることは、換気口開閉手段軸５３に対する回転半径５４が大きくなり、第一換気口２４、第二換気口２５、第一送風口３８および第二送風口３９内に入り込むスペースが大きくなるため、製品サイズを大きくせざるをえない、今回、換気口開閉手段ユニット４７を分割することにより、製品サイズを大きくすることなく、換気口開閉手段ユニット４７の面積を大きくし第二熱交換器３４に均一の風速分布の風をあて熱交換効率が高く省エネ性能が向上した浴室換気空調装置を提供できる。
【００２７】
（実施の形態２）
本実施の形態２を、図５を参照に説明する。
【００２８】
換気口開閉手段上４８および換気口開閉手段下４９をそれぞれステッピングモーター５５で制御する、これにより、例えばＤＣ１２ＶもしくはＤＣ２４Ｖのステッピングモーター５５を２個使用して、換気口開閉手段上４８および換気口開閉手段下４９の開閉を制御する、小型モーターの使用により駆動の機構を小さくできるとともに普及タイプのステッピングモーター５５使用によりコストを抑えることができる。
【００２９】
（実施の形態３）
本実施の形態３を、図６、７を参照に説明する。
【００３０】
換気口開閉手段上４８および換気口開閉手段下４９を同一形状で同一材料にする、同じ形状にすることにより、同一トルクで換気口開閉手段上４８および換気口開閉手段下４９を駆動でき、換気口開閉手段上４８および換気口開閉手段下４９の共用化による金型費削減と形状と質量をあわせることにより同じ制御で運転することができるので制御パラメーター数を削減でき、また基板からの信号を同一にできるため基板からのコネクターを上下共用化しコストを削減できる。
【００３１】
（実施の形態４）
本実施の形態４を、図８を参照に説明する。
【００３２】
換気口開閉手段ユニット４７に設けている換気口開閉枠５６に、独立した配線溝５７と配線固定リブ５８を設けるこれにより、配線線貫通部と配線引き回し部を風路と分け独立でき、配線固定リブ５８で配線処理が固定することができ、また、配線部５９と風路部６１がそれぞれ独立されることにより換気口開閉枠５６のみにパッキンを貼ることでシール６０ができて、換気口開閉手段上４８、換気口開閉手段下４９、換気口開閉枠５６、ステッピングモーター５５、配線部５９を１つの換気口開閉手段ユニット４７として提供できることとなるので、配線処理部６２からの風漏れ防止と配線の挟み込みの防止ができるとともに、パッキン貼付け作業が容易で継ぎ目も少なく本体とのシール性が向上でき、かつ、ユニット化によりユニット供給が可能となり部品交換の簡易化や他機種への供用化が図れる。
【００３３】
（実施の形態５）
本実施の形態４を、図９を参照に説明する。
【００３４】
換気口開閉手段ユニット４７と製品との固定は換気口開閉手段ユニット４７の枠の下部の溝６３と製品からのリブ６４で位置決めし、上端をネジ６５等で固定する、という構成にしてもよい。これにより、換気口開閉手段ユニット４７と製品の固定は換気口開閉枠５６の下部の溝６３と製品からのリブ６４で位置決めし、上端をネジ６５等で固定することにより、製品の深い部分の固定にネジ６５を使用しないことができることとなるので、製品組立て時のネジ本数削減による作業工数削減でき、また本体設置状態でのサービスパーツ交換においては、通常製品内は光が入らず見えにくい場所であるが、換気口開閉手段ユニット４７を製品内側の壁面にスライドして挿入することで換気口開閉枠５６の下部の溝６３と製品からのリブ６４の位置決めが容易にでき上端をネジ６５等で固定するのみで交換作業ができる。
【産業上の利用可能性】
【００３５】
本発明は、脱衣室やトイレの換気風を本体内へ導入し熱交換器を通過させることにより従来換気風とともに屋外に排気していた熱を回収し、浴室の暖房をおこなうことによりエネルギー効率の高い浴室換気空調装置を実現できる。
【符号の説明】
【００３６】
１    居住空間
２    リビング
３    浴室
４    脱衣室
５    トイレ
６    本体部分
７    送風機部分
８    循環送風機
９    換気送風機
１０  第一排気口
１１  第一排気ダクト
１２  第二排気口
１３  第二排気ダクト
１４  第三排気ダクト
１５  給気口
１６  空調機
１７  ドア
１８  ドア
１９  循環吸込口
２０  循環吹出口
２１  浴室換気口
２２  循環吸込口開閉手段
２３  浴室換気口開閉手段
２４  第一換気口
２５  第二換気口
２６  第一換気口開閉手段
２７  第二換気口開閉手段
２８  換気風路
２９  再熱送風口
３０  再熱送風口開閉手段
３１  圧縮機
３２  第一熱交換器
３３  膨張機構
３４  第二熱交換器
３５  他室吸込口
３６  他室吸込口
３７  換気吹出口
３８  第一送風口
３９  第二送風口
４０  送風機隔壁
４１  ２４時間換気口
４２  ２４時間換気口開閉手段
４３  第三送風口
４４  第四送風口
４５  蓋
４６  蓋
４７  換気口開閉手段ユニット
４８  換気口開閉手段上
４９  換気口開閉手段下
５０  平行
５１  風速分布
５２  縦断面積
５３  換気口開閉手段軸
５４  回転半径
５５  ステッピングモーター
５６  換気口開閉枠
５７  配線溝
５８  配線固定リブ
５９  配線部
６０  シール
６１  風路部
６２  配線処理部
６３  溝
６４  リブ
６５  ネジ
【図１】
2012193936.tif 000003
【図２】
2012193936.tif 000004
【図３】
2012193936.tif 000005
【図４】
2012193936.tif 000006
【図５】
2012193936.tif 000007
【図６】
2012193936.tif 000008
【図７】
2012193936.tif 000009
【図８】
2012193936.tif 000010
【図９】
2012193936.tif 000011